(57)【要約】      （修正有）【課題】正確な筆順やきれいな形の文字の書き方を効率良く習得することができ、かつ、毛筆の練習にも対応した文字練習帳を提供する。【解決手段】用紙に方形状の複数の枠１３ａを設け、この枠１３ａ内に白抜き文字１３ｂを記載すると共に、その文字についての筆順やきれいな形の文字を書くためのポイントが記載されている文字練習用紙からなることを特徴とする。【選択図】図４
0003115645.tif 000002
【実用新案登録請求の範囲】
【請求項１】
用紙に方形状の複数の枠を設け、この枠内に白抜き文字を記載すると共に、その文字についての筆順やきれいな形の文字を書くためのポイントが記載されている文字練習用紙からなることを特徴とする文字練習帳。
【請求項２】
前記枠内に記載された文字には、当該文字の始点となる位置又は／及び筆先の位置が記載されていることを特徴とする請求項１記載の文字練習帳。
【請求項３】
筆順、文字の始点となる位置又は／及び筆先の位置を指導するための指導用紙、文字見本が記載された文字見本用紙、好きな文字を自由に練習するための文字自由練習用紙、記入した文字の添削を依頼する添削指導用紙の少なくとも１つが、前記文字練習用紙と共に綴られていることを特徴とする請求項１又は請求項２記載の文字練習帳。
【考案の詳細な説明】
【技術分野】
【０００１】
本考案は、正確な筆順とバランスの良いきれいな形の文字の書き方を習得するために用いる文字練習帳に関するものである。
【背景技術】
【０００２】
従来から、文字練習には多種の文字練習帳が用いられている。例えば、見本となる文字の下に練習用の記入枠を設け、見本となる文字を見ながら練習を行う（臨書練習）ものや、見本となる文字を薄く表示しておき、それをなぞり書きすることにより練習を行う（模書練習）ものなどがある。
【考案の開示】
【考案が解決しようとする課題】
【０００３】
しかしながら、これらの文字練習帳のように、臨書練習や模書練習のみでは、正確な筆順やきれいな形の文字を書くポイントが何処なのかを理解することはできないため、何回も繰り返し練習しなければ、バランスの良いきれいな形の文字の書き方を習得することはできなかった。
【０００４】
一方、書道のように毛筆を用いる場合には、文字の太さ、即ち、筆圧の変化もきれいな形の文字の重要な条件となってくる。
しかしながら、これまでの文字練習帳においては、通常、文字練習に鉛筆やペンが用いられるため、文字の太さ、即ち、筆圧を変化させるような練習を行うことができなかった。
【０００５】
そこで、本考案は、正確な筆順やきれいな形の文字の書き方を効率良く習得することができ、かつ、毛筆の練習にも対応した文字練習帳を提供することを目的とする。
【課題を解決するための手段】
【０００６】
上記課題を解決するためにこの考案は、用紙に方形状の複数の枠を設け、この枠内に白抜き文字を記載すると共に、その文字についての筆順やきれいな形の文字を書くためのポイントが記載されている文字練習用紙からなることを特徴とする。
また、前記枠内に記載された文字には、当該文字の始点となる位置又は／及び筆先の位置が記載されていることが好ましい。
【０００７】
さらに、本考案に係る文字練習帳は、筆順、文字の始点となる位置又は／及び筆先の位置を指導するための指導用紙、文字見本が記載された文字見本用紙、好きな文字を自由に練習するための文字自由練習用紙、記入した文字の添削を依頼する添削指導用紙の少なくとも１つが、前記文字練習用紙と共に綴られていることが好ましい。
【考案の効果】
【０００８】
上記の如く構成する本考案によれば、バランスの良いきれいな形の文字の書き方を習得するために、繰り返し練習するのではなく、正確な筆順やきれいな形の文字を書くためのポイントを理解しながら習得することになる。このため、バランスの良いきれいな形の文字の書き方を、効率良く習得することができる。
また、今まで練習が不可能であった文字の太さの変化、即ち、筆圧の変化についても練習できるため、毛筆の練習にも対応することができる。
【考案を実施するための最良の形態】
【０００９】
次に、この考案の実施形態を図面を参照しながら説明する。
ここで、図１は本考案に係る文字練習帳の斜視図、図２は本考案に係る文字練習帳の指導用紙の平面図、図３は本考案に係る文字練習帳の文字見本用紙の平面図、図４は本考案に係る文字練習帳の文字練習用紙の平面図、図５は本考案に係る文字練習帳の文字自由練習用紙の平面図、図６は本考案に係る文字練習帳の添削指導用紙の平面図である。
【００１０】
図において符号１は、本考案に係る文字練習帳を示している。この文字練習帳１は、筆の運び方等を指導するための指導用紙１１と、文字見本が記載された文字見本用紙１２と、模書練習を行う文字練習用紙１３と、好きな文字を自由に練習するための文字自由練習用紙１４と、記入した文字の添削を依頼する添削指導用紙１５とが一綴りとなって構成されている。
【００１１】
まず、指導用紙１１について説明する。この指導用紙１１には、複数の文字Ｌが記載されると共に、これらの文字Ｌの筆順や筆の運び方、即ち、バランスの良いきれいな形の文字を書くためのポイントが細かく記載されている。詳しく説明すると、文字毎に文字の始点となる位置や、文字を書く際の筆先の位置、書き順、更には、きれいな形の文字を書くためのポイントまでが記載されている。特に、本考案では、筆先の位置等が細かく記載されているため、毛筆の練習用として適したものとなっている。
【００１２】
次に、文字見本用紙１２は、見本となる文字Ｌが複数列、複数段に渡って記載されたものである。見本となる文字Ｌは、漢字、平仮名の何れであっても良い。
【００１３】
また、文字練習用紙１３は、模書練習に用いるものであって、詳しくは、複数の方形状の記入枠１３ａの夫々に、練習用の白抜き文字１３ｂが記載されたものである。また、白抜き文字１３ｂには、筆順やバランスの良いきれいな形の文字を書くためのポイントが細かく記載されている。また、記入枠１３ａの中には、当該記入枠を４つ用いて１つの文字を記載したものがあり、その文字には始点となる位置や、筆先の位置、書き順、更には、きれいな形の文字を書くためのポイントがより細かく記載されている。
このように、文字練習書１３は、バランスの良いきれいな形の文字の書き方を習得するために、模書練習に白抜き文字１３ｂを用いている。このため、白抜き文字と一致するように記入することにより、文字の太さ、即ち、筆圧を変化させる練習に対応し、毛筆による練習に適したものとなる。
さらに、筆順やバランスの良いきれいな形の文字を書くためのポイントが細かく記載されているため、効率良くきれいな形の文字の書き方を習得することができる。
【００１４】
更に、文字自由練習用紙１４は、好きな文字を自由に練習するためのものである。この文字自由練習用紙１４には、複数の方形状の記入枠１４ａのみが設けられ、その記入枠１４ａ内に、好きな文字を記入することにより、練習できるようになっている。
【００１５】
更にまた、添削指導用紙１５は、指導センター等に添削を依頼するための用紙である。この添削指導用紙１５には、文字を記入する複数の方形状の記入枠１５ａに加え、この用紙を提出する者の氏名、住所、電話番号等を記入する提出者記入欄１５ｂが設けられている。
【００１６】
このように構成された本考案によれば、文字練習帳１の利用者は、文字指導用紙１１と文字見本１２から、文字Ｌの形のみでなく、正確な筆順、筆の運び形を学習する。そして、文字練習用紙１３を用いて、白抜き文字１３ｂを模書する。この際、白抜き文字１３ｂと一致するように記入することにより、バランスの良いきれいな形の文字の書き方を練習できると共に、毛筆の練習に対応して、文字の太さ、即ち、筆圧を変化についても練習することができる。
また、筆順やきれいな形の文字を書くためのポイントが細かく記載されているため、効率良くきれいな形の文字の書き方を習得することができる。
【００１７】
次に、文字自由練習用紙１４により、記入枠１４ａに文字見本等から好きな文字を練習する。そして、文字自由練習用紙１４による練習が終わった段階で、添削指導用紙１５の記入枠１５ａ内に練習した文字等を再度記入し、指導センター等へ郵送又はファクシミリ等の常套手段によって送ることにより、添削を受けることができる。
【００１８】
以上の実施形態においては、指導用紙１１、文字見本用紙１２、文字練習用紙１３、文字自由練習用紙１４、添削指導用紙１５とが一綴りになった文字練習帳にて説明したが、本考案は少なくとも文字練習用紙１３を含めて構成したものであれば良い。従って、例えば文字練習用紙１３のみ、又は、指導用紙１１と文字練習用紙１３を一綴りとしたもの等であっても良い。
また、各用紙の枚数は、適宜変更することが可能である。
【産業上の利用可能性】
【００１９】
本発明に係る文字練習帳は、毛筆の練習に適したものであるが、鉛筆やペンの練習用にも利用することができる。
【図面の簡単な説明】
【００２０】
【図１】本考案に係る文字練習書の斜視図である。
【図２】本考案に係る文字練習帳の指導用紙の平面図である。
【図３】本考案に係る文字練習帳の文字見本用紙の平面図である。
【図４】本考案に係る文字練習帳の文字練習用紙の平面図である。
【図５】本考案に係る文字練習帳の文字自由練習用紙の平面図である。
【図６】本考案に係る文字練習帳の添削指導用紙の平面図である。
【符号の説明】
【００２１】
１      文字練習帳
１１    指導用紙
１２    文字見本用紙
１３    文字練習用紙
１３ａ  記入枠
１３ｂ  白抜き文字
１４    文字自由練習用紙
１４ａ  記入枠
１５    添削指導用紙
１５ａ  記入枠
１５ｂ  提出者記入欄
【図１】
0003115645.tif 000003
【図２】
0003115645.tif 000004
【図３】
0003115645.tif 000005
【図４】
0003115645.tif 000006
【図５】
0003115645.tif 000007
【図６】
0003115645.tif 000008